(57)【要約】【課題】歩いた歩数や歩行距離や歩を進めた道程等の相対的な歩を進めた記録を表示できる機能と、外部との通信を可能にする機能の双方の機能を設けて成る歩行記録装置の提供。【解決手段】相対的な通信を無線によって受信できるか或いは送信できるかの少なくても何れかを可能にする通信手段３と、前記歩を進めた記録のできる機能と、前記歩を進めた記録を表示できる表示手段２とを相対的に連結して前記歩行記録装置１を構成させる。【選択図】図１
2004125761.tif 000002
【特許請求の範囲】
【請求項１】
歩行を含めて歩を進めた記録を表示手段によって表示する事のできる歩行記録可能な装置において、
相対的な通信を無線によって受信できることと相対的な通信を無線によって送信できることの両方あるいは少なくても何れかの通信を可能にする通信手段３を設け、前記装置と前記通信手段３とを相対的に連結させて構成させた事を特徴とする歩行記録装置。
【請求項２】
通信手段３は、会話と画像と文字と音の少なくても何れかの通信を可能に構成されていることを特徴とする請求項１記載の歩行記録装置。
【請求項３】
前記歩行記録装置には、映像と文字の少なくても何れかを映し出すことを自在とする表示手段２からなる複数の画面を具備して構成されていることを特徴とする請求項１記載の歩行記録装置。
【発明の詳細な説明】
【０００１】
【発明の属する技術分野】
本発明は、歩きや走りによる歩数や歩行距離や歩程（例えば歩を進めた道程）等の歩を進めた記録を表示手段によって表示する事のできる歩行記録可能な装置に関する。
又、相対的な通信を無線によって受信できることと、相対的な通信を無線によって送信できることの少なくても何れかを可能にする通信手段を前記歩行記録可能な装置と相対的に連結した構成に関する。
【０００２】
【従来の技術】
従来例として、例えば前記歩行記録可能な装置は、動物や人が歩いたり走ったりした歩数または歩行距離を計測し、画面や積算計で表示することのできる装置であり、此の装置は万歩計やＳＴＥＰＰＩＮＧ　ＭＥＴＥＲ等と呼称されているものもある。
又、前記歩行記録可能な装置で示した従来の万歩計やＳＴＥＰＰＩＮＧ　ＭＥＴＥＲ等は機械式や電子回路タイプで構成されているものや、歩数と歩行距離の両方を示すことのできるの機能を具備して構成されているものがある。
そして前記万歩計やＳＴＥＰＰＩＮＧ　ＭＥＴＥＲ等の装置は、腰付近や被服に取り付けて、歩いた歩数や生じる振動や移動した距離等によって歩数や振動数や歩行距離をカウントし積算し表示する仕組みを用いており、この表示を基に運動量や健康維持管理の目安として活用されている。
【０００３】
【発明が解決しようとする課題】
しかしながら此れまでの万歩計には、時計の機能を組み合わせた構成はあるものの、外部との会話や画像等の送受信のできる携帯電話やインターネットやラジオ、更には映像を記録したり映し出すことのできるカメラ等の機能を組み合わせた構成はない。
最近のＩＴ（インフォメーション　テクノロジー）化の流行るこの頃ではジョギングやハイキングやウォーキング等を含めて運動や外出する時に前記通信手段から成る携帯電話とラジオとカメラと更に万歩計をそれぞれ持ち歩くという事もあるが、此れらを別々に持ち歩くのにも不便であり、携帯電話やラジオやカメラには時計や電池や画面が内蔵され万歩計にも時計や電池や画面が内蔵されているものもあり、同一機能や類似物を多数重複して持ち歩くという無駄とコスト高の両面の不合理さも考えることができる。
本発明は、少なくても前記の不便さと不合理さを改善し、使い勝手のよい装置の提供を目的としている。
【０００４】
【課題を解決する為の手段】
上記課題を解決する為に本発明は以下の手段を用いて構成させる事が出来る。
【０００５】
第１の手段として…歩行を含めて歩を進めた記録を表示手段によって表示する事のできる歩行記録可能な装置において、
相対的な通信を無線によって受信できることと相対的な通信を無線によって送信できることの両方あるいは少なくても何れかの通信を可能にする通信手段を設け、前記歩行記録可能な装置と前記通信手段とを相対的に連結させて本発明の歩行記録装置を構成させることができる。
又、前記連結とは、一体となる装置内に前記通信手段と歩数の表示手段とを内蔵させて構成させたり、それぞれ独立された前記通信手段と歩行記録の表示手段とを可動自在な蝶番やケーブル等を用いて相対的に連結されるように構成させることも自在であることを示している。
又、歩を進めた記録とは、例えば歩いた歩数や歩行距離や歩程（例えば歩を進めた道程）や歩いた軌跡や歩歴であってもよく、要するに歩（歩きや、早歩きや、走り等の相対的な歩行を歩の用語を用いて示している）を進めた記録（記憶装置による記憶でもよい）のできる機能であり、該記録を表示手段に表示できるように構成すればよい。
【０００６】
第２の手段として…前記歩行記録装置に具備される通信手段は、会話と画像と文字と音の全部あるいは少なくても何れかの通信を可能に構成できる。
【０００７】
第３の手段として…前記それぞれの歩行記録装置は、映像と文字の少なくても何れかを映し出すことを自在とする表示手段２からなる複数の画面（ディスプレイ）を具備して構成することもできる。
【０００８】
第４の手段として…前記それぞれの歩行記録装置に具備される少なくても一部の部材は人の腕の回りに巻かけて前記腕に取り付ける事の可能な取り付け手段で構成することもできる。
【０００９】
【本発明の実施形態】
以下、本発明の通信手段を具備した歩行記録装置（以下の用語は、歩行記録装置１で示す）に係わる実施例を図面に基づいて説明する。
【００１０】
図１は、本発明の歩行記録装置１に係わる略図から成る第１実施例であり、同図の図（ａ）は平面図、図（ｂ）は正面図、図（ｃ）は右側面である。
【００１１】
図１の図（ａ）と（ｂ）と（ｃ）で示す略図では細かな配線回路図や信号や動力の伝達経路に係わる接続構成を省いて示しているものの具体的には、次の機能を具備した手段や装置を設けて本発明の歩行記録装置１を構成させている。
【００１２】
先ず、従来からある既存の万歩計の機能や構成のように、人が歩いたり走ったりした歩数と歩行距離を計測し、此の計測値を画面や積算計等から成る表示手段２によって文字や映像で表示することができると共に此れらの歩数や歩行距離の１日毎の集計を数日または数カ月にわたって記録し再表示を可能にする機能と、
【００１３】
従来からある追跡装置等で映し出された地図上に移動の軌跡を記録できる機能にあるように、歩を進めた道程を記録し示すことのできる手段を内蔵させて歩を進めた道程を表示手段２によって表示できる機能と、
【００１４】
従来からある既存のナビゲーションシステムの機能や構成にあるように、歩行記録装置１の現在置を表示手段２から成る画面上に地図を表示して位置を示すことが可能な機能と、
【００１５】
従来からある既存のカメラ等に具備される機能や構成のように、静止画像や動画を撮影し記録し表示手段２によって再出力表示することのできる撮影機能（カメラやビデオカメラも含まれる意味）と、
【００１６】
従来からある既存のテレビやラジオや無線通信装置や携帯電話等に具備される機能や構成のように、相対的な通信を無線によって受信し出力できる機能と、相対的な通信を無線によって送信できる機能の両方を可能にする通信手段３を回路図を省いた構成内にアンテナ１７と共に内蔵させて設けられ、前記通信手段３による通信は会話と画像と文字と音の何れをも送受信可能とした機能と、
【００１７】
従来からあるデジタル時計の機能や構成のように、少なくても年月日と時刻の数字を表示できる機能と、時と時の間の費やした時間を測定し表示可能なストップウォッチの機能の複数の機能とを具備した装置を相対的に内蔵させて本発明の歩行記録装置１を構成させている。
【００１８】
又、前記表示手段２を画面２−１（ディスプレイと解釈することもできる）として設けた同図の場合には、歩数や歩行距離や歩程や画像や文字等を前記機能毎に画面２−１に映し出して表示する事を可能に構成させ、音については内蔵したスピーカー１３によって通信される会話や音楽を含めて出力可能に構成させ、更に通話と録音可能なマイク１５を内蔵し、全体的には連結された装置として本発明の歩行記録装置１が構成されていることを示している。
【００１９】
又、前記歩行記録装置１に連結され又は取り付けられる少なくても一部の部材は、人の腕の周りに巻き付け取り付ける事の可能な取り付け取り外し自在な弾性部材から成るベルト状の取り付け手段４を設け、腕に巻き付けた上でファスニング手段１６（例えば簡易的な固定又は締結手段）によってファスニングできるように構成させている為に、腕時計に類似するように前記通信手段３の活用や表示手段２の活用を含めて前記歩行記録装置１の使い勝手を容易にすることを可能に構成させている。
【００２０】
更に内蔵される各種機能をスタートさせる事のできる電源から成る電池１０（バッテリー等を示し、図１においては配線図は示していない）を内蔵させ無線状態で外部との通信を可能にしながら人が自在に携帯して持ち歩くことを可能に構成させている。
従って前記各種の機能と構成を具備した本発明の歩行記録装置１を、万歩計や携帯電話や腕時計やカメラやストップウォッチやその他の名称を用いて解釈し呼称する事も自在である。
【００２１】
次に、前記図１の記載説明の他に本発明の歩行記録装置１に更なる機能を設けて構成させることのできる例を示す。
【００２２】
例えば、図１記載の歩行記録装置１に設けた複数のスイッチ類５の内のスイッチ５−１を押すと表示手段２（此の場合には画面）に表示される映像が切り替わって歩数や歩行距離を計算できる前記万歩計の機能（歩歴表示機能）の選択を可能にしながら、此の万歩計の機能を実行させてスタートさせると万歩計の機能が生じられて歩数や歩行距離や歩を進めた道程を積算または演算して示すことを可能に構成できる。再びスイッチ５−１を押すと他の機能のメニュー選択が可能になり、例えば時刻の表示や、電話による会話や、通信手段３に内蔵されるラジオ放送やテレビ放送やインターネット等の画像やカメラ等の撮影等の機能を自在に選択する事を可能としながら、此れらの機能のうちの一つを選択して実行してスタートさせればスタートさせた機能の活用が可能になるように構成できる。
【００２３】
又、前記撮影機能においてはレンズ１１を筐体６内に内蔵し、シャッター１２を筐体７内に内蔵し、シャッター１２を押すことによって写真撮影と映像の記録を可能に構成させることができる。
又、前記複数の機能を選択して活用している最中に、例えば既に万歩計の機能（歩を進めた記録）をスタートさせている場合は万歩計の機能が継続されるようにしながら、更にスイッチ５−１を押して表示されるメニューの内の万歩計モードを選択すれば歩いたり又は走った歩数や歩行距離や歩を進めた道程等が積算されて表示できるようにも構成させることができる。
【００２４】
此れらの機能は、筐体６又は７に内蔵される図示しない複数の装置（例えば積層基板や配線やメモリーボードや駆動装置等により構成されるシステム）に組み込まれて構成させることができる。
従って、歩を進めた記録（歩数，歩行距離，歩を進めた道程の記録と表示），電話（会話や音の送受信可能），インターネット（送受信可能），メール（画像の送受信可能），テレビ放送（映像と音の受信可能），ラジオ放送（音の受信可能），カメラ（画像の記録と送受信可能），ビデオカメラ（動く画像の記録と送受信可能），時計（年月日と時刻表示可能）．ストップウォッチ（時間の計測可能），ナビゲーションシステム（現在地と現在地付近の地図の画像表示可能，送受信可能）等のメニューの内の何れかを選択すればそれぞれの機能をスタートさせて活用することを可能に構成させることができる。
【００２５】
又、筐体６と７間では蝶番８によって筐体６と７間で軸９を中心に矢印ｒ方向に回動可能に連結して構成させ、筐体６と７の少なくても何れかを軸９を中心に回動させれば筐体６と７間を折り畳んで歩行記録装置１をコンパクトにする事を可能に構成させることもできる。
又、筐体６の方には電池１０と表示手段２と通信手段３を内蔵させ、筐体７の方には歩数を演算できる装置を内蔵させて構成させることもできる。
【００２６】
例えば、前記歩行記録装置１は筐体６と７と蝶番８によって連結された装置として構成させたが、万歩計の機能（例えば前記歩を進めた記録を表示できる機能）を電子的なデジタル的な演算装置とせずに機械的な駆動的な積算装置として構成させたり、蝶番８を設けずに通信手段３と万歩計をそれぞれ独立的に製作しながら一体的な筐体内に取り付けて相対的に連結された装置として歩行記録装置１を構成させる事も自在である。
つまり、前記万歩計の機能と通信手段３とを連結した本発明の歩行記録装置１とは、相対的に締結されて一体化させたり相対的に可動自在に組み合わされていることも含めて前記万歩計の機能と通信手段３とは何らかの付帯される部材によって組み合わせて構成させることができる。
【００２７】
又、前記各種の機能の外に更なる機能を多数設けて構成させたり、幾つかの機能を削除して構成させる事も自在である。
又、腕に取り付けずに他の部位に取り付け可能に構成させることもできる。
又、図１に示す電池１０においては、前記万歩計の機能，電話，インターネット，メール，テレビ放送，ラジオ放送，カメラ，ビデオカメラ，時計，ストップウォッチ，ナビゲーションシステム等の機能に対して共通となるような通電回路で電源（電池１０）を設けて相対的な製作コストを安価にしたことも含めて示しているが、幾つかの機能に対して個別になるように複数の電源（電池１０）を設けて構成させることも自在である。
【００２８】
図２は、本発明の歩行記録装置１の正面略図から成る第２実施例である。
図２の構成の前記図１で示した歩行記録装置１の説明や構成に対して異なるところは、図１で示した筐体６と７と蝶番８とを区別して設けずに相対的に連結して一体構成した事と、歩行記録装置１を例えば腰に取り付けることも可能にしながら何処にでも取り付けて持ち運び自在にループ状の弾性部材から成るベルト１４と前記ファスニング手段１６を付属させたことである。
この構成によっても前記図１の説明で示した歩行記録装置１の大半の機能と効果を得ることができる。
又、スイッチ類５を画面２−１の両側に配置し、画面２−１が両側のスイッチ類５の間に位置するように設けている。この配置によって略中央に位置する画面２−１を見ながら両方の手を使いながら両側のスイッチ類５を操作しやすくすることと操作の効率を高めている。
【００２９】
図３は、本発明の歩行記録装置１の正面略図から成る第３実施例である。
図３で示す構成は前記図１の構成であり、前記図１で示した説明や構成に対して異なるところは、図１で示した表示手段２から成る画面２−１の他に表示手段２から成る画面２−２を更に設けて、画面２−２は筐体７側に内蔵させて一台の歩数表示装置１に複数の画面を間隔を空けてそれぞれ異なる位置に設け、画面２−２は歩を進めた記録と表示を可能にする機能とナビゲーションシスムによる出力を可能にしたことを示している。
【００３０】
従って、この機能を活用すればナビゲーションシスムの地図を画面２−２に映し出しながら画面２−１を用いてインターネットやＴＶ電話を実施することも可能となる。つまりは複数の画面を同時に活用できるように構成したことにより、高齢者を含めてウォーキングや外出の最中に不都合なことが生じても通信手段３を活用して例えば現在地と何らかの問題事項に係わる問い合わせや問題解決をはかる事も可能になるため安全対策と有効活用化を促進することもできる。
又、画面２−１と２−２を見ながら複数の機能を活用する事が可能となる。
又、画面２−１と２−２とは前記のような限定された機能とせずに何れの画面にも全ての機能を活用可能に表示できるように構成させることもできる。
又、画面２−１と画面２−２とを距離を設けずに一つの表示手段２から成る一対の画面内に機能毎に設けた画面２−１と画面２−２を連続または重ね合わせて配置可能に設け、機能毎に両方の画面（更なる複数の画面を設けてもよい）で映し出すことができるように構成させることも自在である。
【００３１】
以上は、主としての歩を進めた記録及び表示の機能と通信手段３とを具備した本発明の歩行記録装置１の機能と構成例を示したものである。
本発明は前記構成例に限定されるものではなく、本発明の請求範囲は特許請求の範囲によって示すものである。
従って、明細書本文や実施例に示した事柄や図面は例に過ぎず、此れらの例をもって本発明の範囲を限定的に解釈されるものではない。
更に、特許請求の範囲に属する変形や組み合わせにおいても記載される多様な特徴から逸脱することなく他の様々な手段や構造を用いて構成させることができる。
【００３２】
【発明の効果】
歩数や歩行距離や歩程を表示手段２によって表示することのできる本発明の歩行記録装置１は前記記載の機能や効果の他に、歩行記録装置１に相対的に連結された通信手段３から成る電話（会話や音の送受信可能），インターネット（送受信可能），メール（画像の送受信可能），テレビ放送（映像と音の受信可能），ラジオ放送（音の受信可能），カメラ（画像の記録と送受信可能），ビデオカメラ（動く画像の記録と送受信可能），ナビゲーションシステム（現在地と現在地付近の地図の画像表示と送受信可能）と、更に時計（時刻表示可能）やストップウォッチ（時間計測可能）等の各種機能を具備した装置を内蔵させ、更に電池１０を重複させずに共用可能に設けているために、次の効果を得ることができる。
【００３３】
前記機能を具備する歩行記録装置１を携帯することで歩数や歩行距離の計測や歩を進めた道程等の記録を継続しながら前記の各種機能の活用を可能にしているために少なくても便利性を増すことができる。
【００３４】
又、前記便利性以外にも運動歩行（ウォーキング等を示す）やジョギングの最中に歩数や歩行距離の計測を継続しながら写真撮影や緊急時の電話による通信や情報収集も可能となるために高年齢者を含めて運動中や外出中の不安解消ができると共に安全面や楽しみを増幅させるためにも非常に役立つ事ができる。
【００３５】
前記ナビゲーションシステムにおいては、歩行記録装置１を携帯して運動歩行（ウォーキング等を示す）している人の現在地を地図上で示し付近や周辺の地図を表示手段２によって表示する事ができるために歩数や歩行距離の計測を継続しながら、現在地や現在地までの歩を進めた道程や此れから向かう道順の確認が可能となり道に迷うという不安を解消することも可能となる。
【００３６】
又、ラジオ放送やテレビ放送の受信とその放送音の出力を可能にしたことによって運動歩行している最中に音楽や放送を聞くことができるためにリラックスと楽しみを助長することも可能となる。
【００３７】
更に前記のように複数の機能を得ながら既存の携帯電話程度の寸法や更なるコンパクト化や軽量化も将来的には可能と考えられる為に、此れからの時代における必要な道具（例えばアイテム）と成り得る。そして内蔵された通信手段３と共に更なる複数の機能とを設けられた本発明の歩行記録装置１が普及することによって今後の経済活性化と情報社会化においても大きな発展系の貢献と安全性の普及が可能と成り得る。
【図面の簡単な説明】
【図１】本発明の歩行記録装置の第１実施例を示す略図である。
【図２】本発明の歩行記録装置の第２実施例を示す略図である。
【図３】本発明の歩行記録装置の第３実施例を示す略図である。
【符号の説明】
１…相対的に連結された歩行記録装置
２…表示手段
２−１…画面
２−２…画面
３…通信手段
４…取り付け手段
５…スイッチ類
５−１…スイッチ
６…筐体
７…筐体
８…蝶番
９…軸
１０…電池（電源）
１１…レンズ
１２…シャッター
１３…スピーカー
１４…ベルト
１５…マイク
１６…ファスニング手段
１７…アンテナ
【図１】
2004125761.tif 000003
【図２】
2004125761.tif 000004
【図３】
2004125761.tif 000005